(57)【要約】  【課題】  掛けた荷物の安定した保持を可能とする机を提供する。  【解決手段】  天板と、荷物を掛けることができるように構成された保持部であって、荷物を掛けたときに上方向からの荷重を受ける面である荷物保持面を有する保持部と、上記荷物保持面に掛けられた荷物が上記天板の位置する方向に移動したときに当接する当接面と、を備える机であって、上記荷物保持面は、上記天板の側方に位置しており、上記当接面は、上記天板の側面の一部である。【選択図】図１
2019037302.tif 000002
【特許請求の範囲】
【請求項１】
机であって、
天板と、
荷物を掛けることができるように構成された保持部であって、荷物を掛けたときに上方向からの荷重を受ける面である荷物保持面を有する保持部と、
前記荷物保持面に掛けられた荷物が前記天板の位置する方向に移動したときに当接する当接面と、を備え、
前記荷物保持面は、前記天板の側方に位置しており、
前記当接面は、前記天板の側面の一部である、机。
【請求項２】
請求項１に記載の机であって、
少なくとも一部が前記天板の下側の面に沿って配置される天板支持部を備え、
前記保持部は、前記天板支持部に設けられている、机。
【請求項３】
請求項２に記載の机であって、
前記天板支持部は、前記天板の重心を通過して高さ方向に広がる仮想的な平面によって前記天板を２つの部分に区分したときに、その両方の部分を支持する部材である
机。
【請求項４】
請求項２又は請求項３に記載の机であって、
前記天板の下側の面には、前記天板の側面に到達する溝が形成されており、
前記保持部は、前記天板支持部のうち、前記溝の内部を通過して前記天板の側方に延び出した部分である、机。
【請求項５】
請求項１から請求項４のいずれか１項に記載の机であって、
前記天板を床面から離れた位置に保持する、上下に長さを有する脚部を備えており、
前記保持部は、前記脚部により支持される、机。
【発明の詳細な説明】
【技術分野】
【０００１】
本開示は、荷物を掛けることができる保持部を有する机に関する。
【背景技術】
【０００２】
従来、荷物を保持するためのフックなどの保持部は、下記特許文献１に記載されるように、天板の下方に設けられていた。
【先行技術文献】
【特許文献】
【０００３】
【特許文献１】特開２０１２−１００７４８号公報
【発明の概要】
【発明が解決しようとする課題】
【０００４】
天板の下方に保持部を備える場合、荷物が使用者の足元近くに位置することとなるため、使用者の足を置く空間が限定されてしまう場合がある。しかしながら保持部の位置を天板の下方から外へ変更すると、荷物が机の脚部などに当たりにくくなるため、荷物が静止しにくくなるという問題があった。
【０００５】
本開示の目的は、掛けた荷物の安定した保持を可能とする机を提供することである。
【課題を解決するための手段】
【０００６】
本開示の一態様は、天板と、荷物を掛けることができるように構成された保持部であって、荷物を掛けたときに上方向からの荷重を受ける面である荷物保持面を有する保持部と、上記荷物保持面に掛けられた荷物が上記天板の位置する方向に移動したときに当接する当接面と、を備える机であって、上記荷物保持面は、上記天板の側方に位置しており、上記当接面は、上記天板の側面の一部である。
【０００７】
このような机であれば、荷物を保持する保持部が天板の下方ではなく側方に位置する。そして、保持部に荷物が掛けられたときに、荷物の一部、例えば提手が当接面に当たりやすくなる。これにより、荷物の揺れが制限されて荷物の動きを早期に静止させることができ、荷物を安定して保持することができる。
【０００８】
上述した机は、少なくとも一部が上記天板の下側の面に沿って配置される天板支持部を備え、上記保持部は、上記天板支持部に設けられていてもよい。このような机であれば、保持部と天板支持部とを同一の部材により構成することができるため、保持部として個別に部品を準備する必要がなく都合がよい。
【０００９】
また天板支持部に荷物保持面が設けられている場合は、上記天板支持部は、上記天板の重心を通過して高さ方向に広がる仮想的な平面によって上記天板を２つの部分に区分したときに、その両方の部分を支持する部材であってもよい。このような机であれば、天板を支持する強度の高い部材に保持部が設けられているため、保持部の強度を高めることができる。
【００１０】
また天板支持部に荷物保持面が設けられている場合は、上記天板の下側の面には、上記天板の側面に到達する溝が形成されており、上記保持部は、上記天板支持部のうち、上記溝の内部を通過して上記天板の側方に延び出した部分であってもよい。
【００１１】
このような机であれば、美観の向上を図ることができる。
また、上述した机は、上記天板を床面から離れた位置に保持する、上下に長さを有する脚部を備えており、上記保持部は、上記脚部により支持されていてもよい。
【００１２】
このような机であれば、脚部により保持部が支持されるため、保持部に荷物が掛けられたときに机が不安定になりにくい。
【図面の簡単な説明】
【００１３】
【図１】実施形態の机の斜視図である。
【図２】実施形態の机の斜視図である。
【図３】実施形態の天板及び幕板の斜視図である。
【図４】実施形態の机の平面図である。
【図５】保持部近傍の拡大斜視図である。
【図６】図４のＶＩ−ＶＩ断面図である。
【図７】図４のＶＩＩ−ＶＩＩ断面図である。
【図８】図８Ａは実施形態の当接面が提手と当接する範囲を表す図であり、図８Ｂは従来のフックが提手と当接する範囲を表す図である。
【図９】変形例の机の斜視図である。
【図１０】変形例の机の斜視図である。
【図１１】変形例の机の当接面が提手と当接する範囲を表す図である。
【図１２】図１２Ａ〜図１２Ｄは、変形例の保持部を示す正面図である。
【図１３】図１３Ａ及び図１３Ｂは、変形例の天板支持部を示す平面図である。
【発明を実施するための形態】
【００１４】
以下に本開示の実施形態を図面と共に説明する。
［１．実施形態］
［１−１．全体構成］
本実施形態の机１は、図１及び図２に示されるように、天板１１と、幕板１３と、フレーム１５と、を有している。机１は使用者の着席位置が想定されるものであって、天板１１の後方が着席側となる。机１は左右方向に関して対称形である。
【００１５】
天板１１は、主板２１と、左右一対の側板２５と、後板２６と、を備える。主板２１は、略矩形であって前後左右に拡がる。前板２３は、主板２１の前端から下方に延びる。側板２５は、主板２１の左右両端から下方に延びる。後板２６は、主板２１の後端から下方に延びる。天板１１は、下方が開放された箱型の形状である。主板２１の後端における一部の範囲は下方に傾斜しており、その結果、後板２６の上下方向の幅は側板２５よりも小さくなっている。
【００１６】
前板２３は、その下端の左右両側部において幕板１３と連接するように構成されている。天板１１と幕板１３の前側面の段差は小さく形成されており、それによって、天板１１と幕板１３とが一体的な印象を与える形状となる。また前板２３の下端の中央部と幕板１３の上端の中央部との間には、指などを挿入可能な手掛け部３１が形成されている。
【００１７】
図３に示されるように、側板２５には、前後方向に関して中央よりもやや後方寄りの位置に、半円形の上向きの溝２７が形成されている。この溝２７は、言い換えると、天板１１の下側の面に設けられた、天板１１の側面に到達する溝である。主板２１の下側面には、前後方向に延びる中空の略直方体である突条部２８が左右に１つずつ設けられている。
【００１８】
説明を図１及び図２に戻る。
幕板１３は、略矩形の板状の部材であって、机１の前方において前板２３の下端につながるように配置される。
【００１９】
フレーム１５は、上下に長さを有し、天板１１及び幕板１３を床面から離れた位置に保持する脚部４１を、左右両側に有する。脚部４１は、前脚４２、後脚４３、及び連結部４４を有する。前脚４２は、脚部４１の中では相対的に前方に位置し、上下方向に延びる。後脚４３は、脚部４１の中では相対的に後方に位置し、上下方向に延びる。連結部４４は、前脚４２と後脚４３の下端を前後に連結する。
【００２０】
またフレーム１５は、天板１１を支持する部分として、前杆５１、天板支持部５２、左右両側に設けられた一対の前後杆５３を有する。これらは、天板１１の下側面に沿って配置される。
【００２１】
前杆５１は、左右両側の前脚４２の上端同士を連結する。天板支持部５２は、左右両側の後脚４３の上端同士を連結する。前後杆５３は、突条部２８を左右及び下方から覆うように設けられ、前後に並ぶ前杆５１と天板支持部５２を前後に連結する。前後杆５３の下側の面には、ス前後方向に長さを有するタックガード５４が配置されている。
【００２２】
天板支持部５２は、天板１１の重心を通過して高さ方向に広がる仮想的な平面によって天板１１を左右の２つの部分に区分したときに、その左右両方の部分において、下方から天板１１を支持する部材である。言い換えると、天板支持部５２は、天板１１における左右方向の中心を境界とした一方の側及び他方の側の両方において、天板１１の荷重を受ける部分を有している。
【００２３】
また、前杆５１、天板支持部５２、及び前後杆５３は、主板２１に対して下方から直接的に又は間接的に接触し、天板１１を支持している。
天板支持部５２は左右両端よりも左右中央部分が後方に位置するように屈曲している。また天板支持部５２は、左右両方の端部において、溝２７の内部を通過して天板１１の側方に延び出した保持部６１として形成されている。保持部６１は、図４に示されるように、天板１１よりも左右方向の外側に位置している。後脚４３は、保持部６１において天板支持部５２と連結している。
【００２４】
［１−２．保持部］
図５〜図７を用いて保持部６１を説明する。保持部６１は、荷物８１の提手８３を掛けることができるように構成されている。保持部６１の上側に位置する面は、荷物８１を掛けたときに上方向からの荷重を受ける面である荷物保持面６３となる。荷物保持面６３は、天板支持部５２に設けられ、天板１１の側方に位置する。
【００２５】
保持部６１の左右方向の先端には、保持部６１よりも大きな直径の円板状の係止部６５が設けられている。図６に示されるように、係止部６５は上端が荷物保持面６３よりも高い位置にあるため、荷物８１が天板１１から離れる方向へ移動して荷物保持面６３から脱落してしまうことを抑制する。
【００２６】
荷物保持面６３の下方に、保持部６１と後脚４３との連結部分が位置する。言い換えると、後脚４３の上端に、保持部６１が配置されている。よって、保持部６１は、脚部４１により支持されることとなる。
【００２７】
天板１１の側面の一部、具体的には側板２５における溝２７の周囲の部分は、図７に示されるように、荷物保持面６３に掛けられた荷物８１の提手８３が天板１１の位置する方向に移動したときに当接する当接面２９となる。
【００２８】
図８Ａに示されるように、提手８３が当接面２９と接触しうる接触範囲２０１は、保持部６１の上方に限らず、保持部６１の前後も含めた広い範囲となる。これに対し、図８Ｂに示される従来の一般的なフック２０３の場合、提手８３が接触しうる接触範囲２０５はフック２０３における荷物保持面２０７の上方の表面に限られるため、相対的に狭い範囲となる。
【００２９】
また保持部６１の主たる部分は、図４に示されるように、左右方向に関して、脚部４１における床面と接触する部分である連結部４４よりも机１の中央側に位置している。
［１−３．効果］
以上詳述した実施形態によれば、以下の効果が得られる。
【００３０】
（１ａ）本実施形態の机１では、保持部６１の荷物保持面６３が天板１１の側方に位置しており、また、天板１１の側面の一部が荷物の当接する当接面２９として機能する。よって、保持部６１に荷物８１の提手８３が掛けられたときに、その提手８３の側面が当接面２９に広く当接する。これにより、荷物８１が上下方向の軸を中心に回転する動き（言い換えると、提手８３を捻るような動き）、荷物８１が保持部６１を軸として揺動する方向の動き、及び、荷物８１が左右に揺れる動きなどを抑制でき、早期に荷物８１を静止させて荷物８１が安定して保持された状態とすることができる。
【００３１】
また、荷物８１が揺動するとき、その揺動の中心は、提手８３における保持部６１の上方に位置する部分（図８Ａ、Ｂにおける頂部８３ａ）となるが、この頂部８３ａは揺動時の動きが小さい。一方、提手８３のうち頂部８３ａから離れた部分ほど、荷物８１の揺動時の動きが大きくなる。よって、机１では頂部８３ａから前後に離れた位置において提手８３が当接面２９に接触するため、摩擦力を大きく発生させて早期に荷物８１の揺動を静止させることができる。一方、図８Ｂに示す従来のフック２０３では、提手８３のうち揺動時に大きく変位する部分において当接面と当接しないため、摩擦力が生じにくく、荷物８１の早期の静止が難しくなる。
【００３２】
（１ｂ）保持部６１は、天板支持部５２に設けられているため、保持部６１を構成するための部品を別途設ける必要がなく、構成を簡便なものとすることができる。また、天板支持部５２が天板１１を広く左右に亘って支持する部材であるため、保持部６１自体の強度を高くすることができる。
【００３３】
（１ｃ）保持部６１は溝２７の内部を通過して天板１１の側方に延び出しているため、天板１１と保持部６１との一体感を創出することができ、机１の美観を向上させることができる。
【００３４】
（１ｄ）保持部６１は、荷物保持面６３の下方から後脚４３に支持されているため、荷物を６１に掛けることにより加わる荷重の影響を小さくして、机１の傾き、転倒を抑制し、机１を安定した状態とすることができる。
【００３５】
（１ｅ）保持部６１は、机１を上方から見たときに、左右の連結部４４の間に位置する。連結部４４は脚部４１における床面と接触する部分であるから、保持部６１に荷物８１が掛けられたとき、その荷重の加わる位置は、机１が床面と接触する左右の端部の間に位置することとなる。よって、荷物８１を保持部６１に掛けたときに、その荷重によって机１が傾いたり転倒したりしてしまうことを抑制できる。
【００３６】
［２．その他の実施形態］
以上本開示の実施形態について説明したが、本開示は、上記実施形態に何ら限定されることはなく、本開示の技術的範囲に属する限り種々の形態をとり得ることはいうまでもない。
【００３７】
（２ａ）上記実施形態においては、屈曲した円柱形状である天板支持部５２の一部が保持部６１として形成される構成を例示した。しかしながら保持部は、荷物保持面が天板の側方に位置しており、かつ、天板の側面の一部が、上述した当接面として機能する位置関係で配置されていれば、様々な形態として実現することができる。
【００３８】
例えば、保持部は円柱形である必要はなく、断面が矩形であってもよいし、板状部材や線状部材を束ねたり折り曲げたりして構成されるものであってもよい。
また、図９及び図１０に示される机９０の保持部９１のように、天板９２と一体に構成されていてもよい。保持部９１の荷物保持面９３は、天板９２の主板９４と同一平面となるように形成されている。
【００３９】
机９０のフレームは図１のフレーム１５とほぼ同一の形状であるため、同一の符号を用いて説明を省略する。なお、保持部６１に相当する部分は延出部９５と記載する。保持部９１は下方が開放された直方体の箱型であり、その内部に延出部９５が配置される。よって、この机９０であれば、延出部９５が保持部９１に掛かる荷重を受けて保持部９１を支えることにより、保持部９１が荷重により変形してしまうことを抑制できる。保持部９１の先端には上方向に向かう突起９６が形成されている。
【００４０】
図１１に示されるように、荷物の提手８３が天板９２の側面９７と接触しうる範囲である接触範囲９８は、保持部９１の前後に分かれた２つの範囲となる。つまり、側面９７における保持部９１の周囲の部分が当接面として機能する。
【００４１】
この机９０であれば、接触範囲９８が前後２箇所に分かれて配置されていることから、提手８３が接触範囲９８と接触しやすくなる。また上述したように、荷物が揺動する場合には、提手８３における保持部９１の上方に位置する部分よりも、そこから前後に離れた部分の方が大きく変位するため、当接面と当接したときに摩擦力が発生しやすい。よって、接触範囲９８が前後２箇所の２箇所に設けられることで、早期に荷物を静止させて荷物が安定して保持された状態とすることができる。
【００４２】
また、図１２Ａに示される保持部１０１のように、天板１０２と一体に構成されていてもよい。保持部１０１を、荷物保持面１０３が天板１０２の側面１０４の上下の範囲内に位置するように形成することで、側面１０４が当接面として機能する。
【００４３】
また図１２Ｂに示される保持部１１１のように、天板１１２とも天板支持部とも別の部材によって形成されていてもよい。この場合も、保持部１１１を、荷物保持面１１３が天板１１２の側面１１４の上下の範囲内に位置するように形成することで、側面１１４が当接面として機能する。保持部１１１は、天板１１２に取り付けられていても良いし、フレーム１１５に取り付けられていてもよい。
【００４４】
また、図１２Ｃに示される保持部１２１のように、天板１２２から間隔を空けた位置に設けられていてもよい。この場合も、保持部１２１を、荷物保持面１２３が天板１２２の側面１２４の上下の範囲内に位置するように形成することで、側面１２４が当接面として機能する。
【００４５】
（２ｂ）上記実施形態においては、天板支持部５２は、左右の中央部が後方に屈曲した構成を例示したが、それ以外の形状であってもよい。例えば真っ直ぐな柱状であってもよい。
【００４６】
（２ｃ）上記実施形態においては、天板支持部５２は、左右方向に関して、天板１１の重心を通過して高さ方向に広がる仮想的な平面によって天板１１を２つの部分に区分したときに、その左右両方の部分を支持する部材である構成を例示した。
【００４７】
しかしながら、保持部は、左右以外の方向について上述したように天板を区分したときにその両方の側を支持する部材に設けられていてもよい。例えば、図１３Ａに示されるように、保持部１３１は、前後方向に関して天板１３２の前方部及び後方部の両方を支持する天板支持部１３３に設けられていてもよい。また、図１３Ｂに示されるように、保持部１４１ａ〜１４１ｄは、前後方向及び左右方向のいずれかにおいて、その方向に関する天板１４２の両方の側を支持する天板支持部１４３ａ〜１４３ｄに設けられていてもよい。
【００４８】
もちろん、保持部は、天板を支持する天板支持部以外に設けられていてもよいし、独立した部材であってもよい。
（２ｄ）上記実施形態では、荷物保持面６３の下方において保持部６１と後脚４３とが連結し、保持部６１が後脚４３によって支持される構成を例示した。しかしながら、保持部６１は脚部４１によって保持されていなくてもよい。
【００４９】
また、例えば図１２Ａに示されるように、天板１０２の一部である保持部１０１が下方から脚部１０５によって支持される構成であってもよいし、図１２Ｃに示されるように、天板１２２から独立した保持部１２１が脚部１２５により直接的に支持されていてもよい。
【００５０】
（２ｅ）上記実施形態では、板状部品を組み合わせてなる箱型の天板１１と、パイプを屈曲及び溶接した形状のフレーム１５と、により構成される机１を例示したが、机の構成は上記実施形態の構成に限定されない。
【００５１】
例えば、天板は、厚みのある板状の部材であってもよい。その場合は、天板の側面をそのまま当接面として利用することができる。またそのように構成したとき、天板の下側面に天板支持部が通過する溝を形成する場合には、天板の下面に広く溝が形成されていてもよいし、図１２Ｄに示されるように、天板１５２の側面１５４近傍においてのみ溝１５６が形成されていてもよい。この場合、溝１５６を通過して保持部１５１が天板１５２の側方に延び出すように構成することができる。
【００５２】
また、天板支持部５２は、主たる部分が広く天板１１の下側面に沿って形成される構成を例示したが、天板支持部は大部分において天板の下側面に沿っている形状でなくともよく、天板支持部における少なくとも天板の荷重を受ける部分が、天板の下側面に沿っていればよい。また、例えば図１２Ｃに示されるように、天板支持部１２６が中間部材１２７を介して間接的に天板１２２を支持していてもよい。
【符号の説明】
【００５３】
１…机、１１…天板、１３…幕板、１５…フレーム、２１…主板、２３…前板、２５…側板、２６…後板、２７…溝、２８…突条部、２９…当接面、３１…手掛け部、４１…脚部、４２…前脚、４３…後脚、４４…連結部、５１…前杆、５２…天板支持部、５３…前後杆、６１…保持部、６３…荷物保持面、６５…係止部、８１…荷物、８３…提手、９０…机、９１，１０１，１１１，１２１，１３１…保持部、９２，１０２，１１２，１２２，１３２…天板、９３，１０３，１１３，１２３…荷物保持面、９４…主板、９５…延出部、９６…突起、９７，１０４，１１４，１２４…側面、９８，２０１，２０５…接触範囲、１０５…脚部、１２５…脚部、１３３…天板支持部、１４１ａ，１４１ｂ，１４１ｃ，１４１ｄ…保持部、１４２…天板、１４３ａ，１４３ｂ，１４３ｃ，１４３ｄ…天板支持部、１５１…保持部、１５２…天板、１５４…側面、１５６…溝、２０１…接触範囲、２０３…フック、２０５…接触範囲、２０７…荷物保持面
【図１】
2019037302.tif 000003
【図２】
2019037302.tif 000004
【図３】
2019037302.tif 000005
【図４】
2019037302.tif 000006
【図５】
2019037302.tif 000007
【図６】
2019037302.tif 000008
【図７】
2019037302.tif 000009
【図８】
2019037302.tif 000010
【図９】
2019037302.tif 000011
【図１０】
2019037302.tif 000012
【図１１】
2019037302.tif 000013
【図１２】
2019037302.tif 000014
【図１３】
2019037302.tif 000015